(57)【要約】 【課題】製造の容易化と製造コストの低減、組立ての容易化を達成し得る組立式プランタを提供する。【解決手段】正方形状枠体２の四つの側壁部９，９，９，９の夫々を形成する側板１０として用い得ると共に、正方形状枠体２の底面部５を形成する底板１２としても用い得るプランタパネルの複数枚と、正方形状枠体２の四隅に配置される連結支柱７を具える。プランタパネル６は、横長矩形板状を呈する基板１３の両端面に連結突片１６，１６を有する。基板１３の横方向長さは正方形状枠体２の内部空間の開放底部の１辺長さを、底面部５を形成するために相互を当接させて敷設すべきプランタパネルの枚数で除した長さに略等しい。側板１０の下部に設けられている支持片２０が、プランタパネル６の連結突片１６を下方から支持する。連結支柱７は、連結突片１６を挿入させ得る挿入溝６１を有する。【選択図】図１
2011188769.tif 000002
【特許請求の範囲】
【請求項１】
平面視で正方形状を呈する正方形状枠体の４つの側壁部の夫々を形成する側板として用いることができると共に、該正方形状枠体の底面部を形成する底板としても用いることができる、１種類のプランタパネルの複数枚と、該正方形状枠体の四隅に配置される連結支柱とを具えており、
前記プランタパネルは、前記側壁部の延長方向に長い横長矩形板状を呈する基板の横方向の両端面に、略同一突出長さの連結突片が縦方向に延長する如く突設されており、該基板をその縦方向を垂直にして前記側板として用いることができる一方、該基板を水平にして前記底板として用いることができ、該基板の横方向の長さは、前記正方形状枠体の内部空間の開放底部の一辺長さに略等しく形成されると共に、該基板の縦方向の長さは、前記正方形枠体の内部空間の開放底部の一辺長さを、前記底面部を形成するために、前記基板の横方向の側面部相互を当接させて敷設すべきプランタパネルの枚数で除した長さに略等しく設定されており、
又、前記側板として用いられるプランタパネルの前記基板の側面の下部に、前記底板として用いられるプランタパネルの前記連結突片を下方から支持し得る支持片が突設されており、
又、前記連結支柱は、前記連結突片を挿入させ得る挿入溝が上下方向に連続して設けられており、該挿入溝の溝側面には、前記連結突片に設けられた第１の係合部と凹凸の嵌合状態で係合し得る第２の係合部が設けられていることを特徴とする組立式プランタ。
【請求項２】
前記側板として用いられるプランタパネルの前記基板の両側面の上部と下部に、水平突出片が突設されており、該水平突出片は、これが前記側面の下部に存する状態で、前記底板として用いられるプランタパネルの前記連結突片を下方から支持し得る前記支持片となることを特徴とする請求項１記載の組立式プランタ。
【請求項３】
前記連結支柱の軸線に沿って、連結軸を挿通させるための連結軸挿通孔が設けられており、該連結軸挿通孔の長さ方向の中央部位に、該連結軸の端部と当接し得るストッパ片が設けられていることを特徴とする請求項１又は２記載の組立式プランタ。
【請求項４】
前記プランタパネルが前記側板として用いられる場合、前記基板の両側面の上部と下部に、前記底板として用いられるプランタパネルの前記連結突片を下方から支持する前記支持片として機能し得る水平突出片が突設されることによって、該基板の上下に上下の水平板部が設けられており、
該上の水平板部の上面部の長手中央線を境とする左右何れかの一方面部に、係合突部と係合凹部が交互に設けられると共に、その他方面部には、前記係合突部と互いに嵌合し得る係合凹部と、前記係合凹部と互いに嵌合し得る前記係合突部が交互に設けられており、該係合突部と該係合凹部は左右隣り合っており、
又、前記下の水平板部の下面部の長手中央線を境とする左右何れかの一方面部には、係合突部と係合凹部が交互に設けられると共に、その他方面部には、前記係合突部と互いに嵌合し得る係合凹部と、前記係合凹部と互いに嵌合し得る係合突部が交互に設けられており、該係合突部と該係合凹部は左右隣り合っており、又、前記上の水平板部及び前記下の水平板部の上下対向する前記係合突部と前記係合凹部とは互いに嵌合し得ることを特徴とする請求項１又は２記載の組立式プランタ。
【請求項５】
平面視で正方形状を呈する正方形状枠体の四つの側壁部の夫々を形成する側板として用いることができると共に、該正方形状枠体の底面部を形成する底板としても用いることができるプランタパネルであって、
前記側壁部の延長方向に長い横長矩形板状を呈する基板の横方向の両端面に、略同一突出長さの連結突片が縦方向に延長する如く突設されており、該基板をその縦方向を垂直にして前記側板として用いることができる一方、該基板を水平にして前記底板として用いることができ、該基板の横方向の長さは、前記正方形状枠体の内部空間の開放底部の一辺長さに略等しく形成されると共に、該基板の縦方向の長さは、前記正方形枠体の内部空間の開放底部の一辺長さを、前記底面部を形成するために、前記基板の横方向の側面部相互を当接させて敷設すべきプランタパネルの枚数で除した長さに略等しく設定されており、
又、前記側板として用いられるプランタパネルの前記基板の側面の下部に、前記底板として用いられるプランタパネルの前記連結突片を下方から支持し得る支持片が突設されていることを特徴とするプランタパネル。
【請求項６】
前記側板として用いられるプランタパネルの前記基板の両側面の上部と下部に、水平突出片が突設されており、該水平突出片は、これが前記側面の下部に存する状態で、前記底板として用いられるプランタパネルの前記連結突片を下方から支持し得る前記支持片となることを特徴とする請求項５記載のプランタパネル。
【請求項７】
前記プランタパネルが前記側板として用いられる場合、前記基板の両側面の上部と下部に、前記底板として用いられるプランタパネルの前記連結突片を下方から支持する支持片として機能し得る水平突出片が突設されることによって、該基板の上下に上下の水平板部が設けられており、
該上の水平板部の上面部の長手中央線を境とする左右何れかの一方面部に、係合突部と係合凹部が交互に設けられると共に、その他方面部には、前記係合突部と互いに嵌合し得る係合凹部と、前記係合凹部と互いに嵌合し得る前記係合突部が交互に設けられており、該係合突部と該係合凹部は左右隣り合っており、
又、前記下の水平板部の下面部の長手中央線を境とする左右何れかの一方面部には、係合突部と係合凹部が交互に設けられており、その他方面部には、前記係合突部と互いに嵌合し得る係合凹部と、前記係合凹部と互いに嵌合し得る係合突部が交互に設けられており、該係合突部と該係合凹部は左右隣り合っており、又、前記上の水平板部及び前記下の水平板部の上下対向する係合突部と前記係合凹部とは互いに嵌合し得ることを特徴とする請求項５又は６記載のプランタパネル。
【発明の詳細な説明】
【技術分野】
【０００１】
本発明は組立式プランタに関するものである。より詳しくは、１種類のプランタパネルを、プランタの側壁部を形成するためとプランタの底面部を形成するために兼用でき、これによって製造コストの低減と組立ての容易化等を達成し得る組立式プランタに関するものである。
【背景技術】
【０００２】
近年、ベランダの床面等にプランタを設置して野菜等の植物を育てて楽しみたい欲求が高まりつつあるが、従来の市販のプランタでは、その形状や大きさが限られていたため、家庭園芸等を行おうとする人にとって必ずしも満足できるものではなかった。
【０００３】
そこで、プランタの形状や大きさをある程度自由に選択して組み立てることができるように構成された組立式プランタとして、例えば特開２００２−２０９４４７号公報が開示する組立式プランタや特開２０００−２７９０３１号公報が開示する組立式プランタ等が提案されている。
【０００４】
しかしこれら従来の組立式プランタは、側面パネル板の複数枚と、該側面パネル板とは別異の構成を有する底面パネル板の複数枚を用いて構成されるものであり、該側面パネル板の端部相互を直角に接合し該端部相互をビス止めすることによって四角形枠状の側枠体を形成する一方、該側枠体の内部空間の底面を覆うように前記底面パネル板の複数枚を設置して構成されていた。
【０００５】
そのため、組立式プランタを構成するための部品の種類が多くなりプランタの製造コストの上昇を招く問題があったばかりか、組み立て作業性が悪い問題があった。
【先行技術文献】
【特許文献】
【０００６】
【特許文献１】特開２００２−２０９４４７号公報
【特許文献２】特開２０００−２７９０３１号公報
【発明の概要】
【発明が解決しようとする課題】
【０００７】
本発明は、前記従来の問題点に鑑みて開発されたものであり、１種類のプランタパネルを、正方形状枠体の側壁部を構成するためと、その内部空間の底面部を構成するための双方に兼用できるようにしたことを基本として、組立式プランタの製造の容易化と製造コストの低減、部品管理の容易化、組立て作業の容易化を達成し得る組立式プランタの提供を課題とするものである。
【課題を解決するための手段】
【０００８】
前記課題を解決するため本発明は以下の手段を採用する。
即ち、本発明に係る組立式プランタは、平面視で正方形状を呈する正方形状枠体の４つの側壁部の夫々を形成する側板として用いることができると共に、該正方形状枠体の底面部を形成する底板としても用いることができる、１種類のプランタパネルの複数枚と、該正方形状枠体の四隅に配置される連結支柱とを具えている。前記プランタパネルは、前記側壁部の延長方向に長い横長矩形板状を呈する基板の横方向の両端面に、略同一突出長さの連結突片が縦方向に延長する如く突設されており、該基板をその縦方向を垂直にして前記側板として用いることができる一方、該基板をその縦方向を水平にして前記底板として用いることができ、該基板の横方向の長さは、前記正方形状枠体の内部空間の開放底部の一辺長さに略等しく形成されると共に、該基板の縦方向の長さは、前記正方形枠体の内部空間の開放底部の一辺長さを、前記底面部を形成するために、前記基板の横方向の側面部相互を当接させて敷設すべきプランタパネルの枚数で除した長さに略等しく設定されている。又、前記側板として用いられるプランタパネルの前記基板の側面の下部に、前記底板として用いられるプランタパネルの前記連結突片を下方から支持し得る支持片が突設されている。又、前記連結支柱は、前記連結突片を挿入させ得る挿入溝が上下方向に連続して設けられており、該挿入溝の溝側面には、前記連結突片に設けられた第１の係合部と凹凸の嵌合状態で係合し得る第２の係合部が設けられていることを特徴とするものである。
【０００９】
前記組立式プランタにおいて、前記側板として用いられるプランタパネルの前記基板の両側面の上部と下部に水平突出片を突設し、該水平突出片は、これが前記側面の下部に存する状態で、前記底板として用いられるプランタパネルの前記連結突片を下方から支持し得る前記支持片となるように構成するがよい。
【００１０】
前記の各組立式プランタにおいて、前記連結支柱の軸線に沿って、連結軸を挿通させるための連結軸挿通孔を設け、該連結軸挿通孔の長さ方向の中央部位に、該連結軸の端部と当接し得るストッパ片を設けるのがよい。
【００１１】
又、前記の各組立式プランタにおいて、前記プランタパネルが前記側板として用いられる場合は、前記基板の両側面の上部と下部に、前記底板として用いられるプランタパネルの前記連結突片を下方から支持する前記支持片として機能し得る水平突出片を突設して、該基板の上下に上下の水平板部が設けられたものとし、該上の水平板部の上面部の長手中央線を境とする左右何れかの一方面部に、係合突部と係合凹部が交互に設けられると共に、その他方面部には、前記係合突部と互いに嵌合し得る係合凹部と、前記係合凹部と互いに嵌合し得る前記係合突部が交互に設けられたものとし、該係合突部と該係合凹部は左右隣り合う如くなし、又、前記下の水平板部の下面部の長手中央線を境とする左右何れかの一方面部には、係合突部と係合凹部が交互に設けられると共に、その他方面部には、前記係合突部と互いに嵌合し得る係合凹部と、前記係合凹部と互いに嵌合し得る係合突部が交互に設けられたものとし、該係合突部と該係合凹部は左右隣り合っており、又、前記上の水平板部及び前記下の水平板部の上下対向する係合突部と前記係合凹部とは互いに嵌合し得る如くなすのがよい。
【００１２】
本発明に係るプランタパネルは、平面視で正方形状を呈する正方形状枠体の四つの側壁部の夫々を形成する側板として用いることができると共に、該正方形状枠体の底面部を形成する底板としても用いることができるプランタパネルであって、前記側壁部の延長方向に長い横長矩形板状を呈する基板の横方向の両端面に、略同一突出長さの連結突片が縦方向に延長する如く突設されており、該基板をその縦方向を垂直にして前記側板として用いることができる一方、該基板をその縦方向を水平にして前記底板として用いることができ、該基板の横方向の長さは、前記正方形状枠体の内部空間の開放底部の一辺長さに略等しく形成されると共に、該基板の縦方向の長さは、前記正方形枠体の内部空間の開放底部の一辺長さを、前記底面部を形成するために、前記基板の横方向の側面部相互を当接させて敷設すべきプランタパネルの枚数で除した長さに略等しく設定されており、又、前記側板として用いられるプランタパネルの前記基板の側面の下部に、前記底板として用いられるプランタパネルの前記連結突片を下方から支持し得る支持片が突設されていることを特徴とするものである。
【００１３】
該プランタパネルにおいて、前記側板として用いられるプランタパネルの前記基板の両側面の上部と下部に、水平突出片を突設し、該水平突出片は、これが前記側面の下部に存する状態で、前記底板として用いられるプランタパネルの前記連結突片を下方から支持し得る前記支持片となるように構成するのがよい。
【００１４】
又、前記の各プランタパネルにおいて、前記プランタパネルが前記側板として用いられる場合は、前記基板の両側面の上部と下部に、前記底板として用いられるプランタパネルの前記連結突片を下方から支持する支持片として機能し得る水平突出片を突設して、該基板の上下に上下の水平板部が設けられたものとし、該上の水平板部の上面部の長手中央線を境とする左右何れかの一方面部に、係合突部と係合凹部が交互に設けられると共に、その他方面部には、前記係合突部と互いに嵌合し得る係合凹部と、前記係合凹部と互いに嵌合し得る前記係合突部が交互に設けられたものとし、該係合突部と該係合凹部は左右隣り合う如くなし、又、前記下の水平板部の下面部の長手中央線を境とする左右何れかの一方面部には、係合突部と係合凹部が交互に設けられると共に、その他方面部には、前記係合突部と互いに嵌合し得る係合凹部と、前記係合凹部と互いに嵌合し得る係合突部が交互に設けられたものとし、該係合突部と該係合凹部は左右隣り合っており、又、前記上の水平板部及び前記下の水平板部の上下対向する係合突部と前記係合凹部とは互いに嵌合し得る如くなすのがよい。
【発明の効果】
【００１５】
本発明は以下の如き優れた効果を奏する。
(1) 本発明に係る組立式プランタによるときは、広い栽培面積を確保し得るのはもとより、１種類のプランタパネルを、正方形状枠体を構成するためと、その内部空間の底面部を構成するための双方に兼用できため、組立式プランタの製造の容易化と製造コストの低減、部品管理の容易化、組み立て作業の容易化を達成できることとなる。これらによって、本発明によるときは家庭園芸等の楽しみを増大させることが出来る。
【００１６】
(2) 前記基板の両側面の上下に、前記底板として用いられるプランタパネルの前記連結突片を下方から支持し得る支持片を突設するときは、前記プランタパネルを側板として用いる場合において、前記水平支持片の向きに関し、側板立設時の上下左右の向きを考慮しなくてもよくなり、プランタの組み立て作業能率を向上させ得る。
【００１７】
(3) 又、前記基板の両側面の上下に設けられている支持片によって、該プランタパネルを側板や底板として用いた場合における剛性向上が図られると共に、側板を立設した際の安定性向上が図られることとなる。かかることから、強度に優れたプランタを組み立てることが出来る。
【００１８】
(4) 上下の水平板部の上面部と下面部の左右に、左右互いに嵌合し得る係合突部と係合凹部を設けると共に、上下対向する係合突部と係合凹部は互いに嵌合し得るように構成するときは、該係合突部と該係合凹部とが嵌まり合うことによって、隣り合う底板の側面部相互が噛み合わせ状態となる。これにより、該底板の敷設によって形成された底面部は、底板の長さ方向での位置ずれを防止できると共に、例えば図３３に示すように高設のプランタを構成した場合、係合凹部の底面で、その上側に位置する係合突部は下方から支持される如くなるため、底面部が、収容部に収容された栽培土の重量によって下方向に撓みにくくできることとなる。
又、側板を複数段に積重するときは、上下の側板に設けられている係合突部と係合凹部とが嵌合することによって噛み合わせ状態となることから、上の側板は下の側板に対して側板の延長方向及び側板の厚さ方向（左右方向）で位置ずれする恐れがない。
これらによって、強度的により安定した有底プランタを組み立てることができることになる。
【００１９】
(5) 前記連結支柱の軸線に沿って連結軸挿通孔を設け、該連結軸挿通孔の長さ方向の中央部位に、連結軸の端部と当接し得るストッパ片を設けるときは、上下のストッパ片間に挿入された連結軸によって、上下の連結支柱は、その繋ぎ部分で横ずれするのが防止されることになる。
【００２０】
(6) 本発明に係るプランタパネルによるときは、製造の容易化と製造コストの低減、部品管理の容易化、組み立て作業の容易化を達成し得る組立式プランタを提供できることになる。
【図面の簡単な説明】
【００２１】
【図１】本発明に係る組立式プランタを示す斜視図である。
【図２】その一部断面平面図である。
【図３】正方形状枠体を示す斜視図である。
【図４】正方形状枠体の組立て工程を示す部分斜視図である。
【図５】正方形状枠体の組立て工程を示す部分斜視図である。
【図６】側板と底板との接合部の構造を示す側面図である。
【図７】側板と底板との接合部の構造を示す断面図である。
【図８】側板と底板との接合部の構造を示す断面図である。
【図９】プランタパネルを示す斜視図である。
【図１０】プランタパネルを示す斜視図である。
【図１１】プランタパネルを上下積み重ねた状態を示す側面図である。
【図１２】プランタパネルを示す正面図である。
【図１３】底板を、側面部相互を当接状態にして敷設して構成された底面部の構成を示す平面図である。
【図１４】連結支柱と蓋部材を示す斜視図である。
【図１５】上下の連結支柱を連結軸を介して上下連結し、上の連結支柱の上端を蓋部材で閉蓋した状態を示す断面図である。
【図１６】連結支柱の上端を蓋部材で閉蓋した状態を示す断面図である。
【図１７】直角に交わる側板相互を連結支柱で連結した状態を示す断面図である。
【図１８】直角に交わる側板相互を連結支柱で連結した状態を底板の敷設状態と共に示す平面図である。
【図１９】側板の下端部に対する底板の配置状態を示す断面図である。
【図２０】側板の下端部に対する底板の配置状態を示す断面図である。
【図２１】隣り合う底板の側面部相互の噛み合い状態を示す断面図である。
【図２２】隣り合う底板の側面部相互の噛み合い状態を示す断面図である。
【図２３】正方形状枠体を２段積みして構成されたプランタを示す斜視図である。
【図２４】そのプランタにおける上下の側板の接合部の構造を示す横断面図である。
【図２５】その縦断面図である。
【図２６】組立式プランタを用いて構成された、平面視で長方形状を呈するプランタを示す平面図である。
【図２７】そのプランタにおける、側板がＴ字状に交わる部分の構成を示す断面図である。
【図２８】正方形状枠体を３段積みしてなるプランタを示す斜視図である。
【図２９】２段積みのプランタ部と１段のプランタ部とを隣り合わせてなる段違いのプランタを示す斜視図である。
【図３０】プランタ部がＬ字状に組み合わされてなるプランタを示す平面図である。
【図３１】プランタ部が田の字状に組み合わされてなるプランタを示す平面図である。
【図３２】プランタ部がＺ字状に組み合わされてなるプランタを示す平面図である。
【図３３】高設のプランタを示す側面図と、連結支柱と繋ぎ支柱との連結構造を示す側面図である。
【図３４】地面に設置されたプランタの連結支柱を、連結軸の下端部分を地面に突き刺して固定した状態で示す側面図と断面図である。
【図３５】連結支柱の他の断面形状を側板相互の連結状態と共に示す断面図である。
【図３６】突条を有する連結突片を示す斜視図である。
【図３７】その連結突片を連結支柱の挿入溝に挿入した状態を示す断面図である。
【図３８】その連結突片を側板の支持片の上面で支持した状態を示す断面図である。
【図３９】連結突片のその他の態様を、連結支柱の挿入溝に挿入した状態で示す断面図である。
【発明を実施するための形態】
【実施例１】
【００２２】
図１〜６において本発明に係る組立式プランタ１は、平面視で正方形状を呈する正方形状枠体２（図３）の四つの側壁部９，９，９，９とその内部空間３の底面部５を構成するために用いられる１種類のプランタパネル６の複数枚と、該正方形状枠体２の四隅に配置される連結支柱７，７，７，７とを具えている。
【００２３】
該プランタパネル６は、本実施例においては、ポリオレフィン系樹脂製等の合成樹脂製のものであり、前記正方形状枠体２の四つの側壁部９，９，９，９を形成する側板１０として用いることができると共に、その複数枚が側面部１１，１１相互を当接状態にして敷設されることにより前記底面部５を形成する底板１２としても用いることができるものであり、図４〜５に示すように、横長の矩形板状を呈する基板１３の横方向（長さ方向）の両端面１５，１５に、略同一突出長さの連結突片１６，１６が突設されている。
【００２４】
該基板１３の横方向の全長は、前記正方形状枠体２の内部空間３の一辺長さに略等しく形成されると共に、その縦方向の長さは、前記正方形状枠体２の内部空間３の開放底部１７（図３）の一辺長さを、敷設すべきプランタパネル６の枚数で除した長さに略等しく設定されている。そして、前記側板１０として用いられるプランタパネル６の前記基板１３の少なくとも一方の側面１８の下部に、図６〜８に示すように、前記底板１２として用いられるプランタパネル６の前記連結突片１６を下方から支持し得る支持片２０が突設されている。
【００２５】
該プランタパネル６の構成を、これが前記側板１０として用いられた姿勢で、より具体的に説明する。該プランタパネル６は図６〜８、図９〜１０に示すように、その縦方向を垂直にして立設された状態で横方向に延長する横長の矩形板状を呈する基板１３の両側面１８，１９の上下部に、両側に同長さで張り出すように上下の水平突出片２１，２１、２１，２１を突設してなる横断面がＩ字状に形成されており、該基板１３の上下部に上下の水平板部２３，２５が設けられている。そして、該上下対向する水平突出片２１，２１の根元側は同じ曲率半径の円弧状凹面２６に形成されている。該上下の水平突出片２１，２１は、これが前記側面１８，１９の下部に存する状態で、前記支持片２０として機能し得る。
【００２６】
そして図９に示すように、該上の水平板部２３の上面部３０の、前記横方向（長さ方向）の両端部分は、本実施例においては水平面３１，３１に形成されると共に、該両水平面３１，３１間において、該上面部３０の長手中央線を境とする左右側３２，３４の夫々に、該上の水平板部２３の長さ方向（横方向）に延長する横長矩形状の係合突部３３と該係合突部３３と互いに嵌合し得る横長矩形状の係合凹部３５が交互に２個づつ設けられており、該係合突部３３と該係合凹部３５は左右隣り合っている。
【００２７】
又、図１０に示すように、前記下の水平板部２５の下面部３７の前記横方向（長さ方向）の両端部分は、本実施例においては水平面３９，３９に形成されると共に、該両水平面３９，３９間において、該下面部３７の長手中央線を境とする左右側４０，４１の夫々に、該下の水平板部２５の長さ方向（横方向）に延長する横長矩形状の係合突部３３と該係合突部３３と互いに嵌合し得る、横方向に延長する矩形状の係合凹部３５が交互に２個づつ設けられており、該係合突部３３と該係合凹部３５は左右隣り合っている。
【００２８】
そして、前記上面部３０と前記下面部３７について見れば、図１１に示すように、前記係合突部３３と前記係合凹部３５は上下対向しており、上下対向する該係合突部３３と該係合凹部３５は互いに嵌合し得る。
【００２９】
前記連結突片１６，１６の上面４２は、本実施例においては図９（Ｂ）、図１２に示すように、上下方向で見て内方に突の円弧状段差面４３，４３を介して前記基板１３の前記上面部３０の前記上の水平面３１に連なっており、該上面４２は、該上の水平面３１よりも稍低く位置されている。又、該連結突片１６の下面４５は、本実施例においては図１０（Ｂ）、図１２に示すように、上下方向で見て内方に突の円弧状段差面４６，４６を介して前記基板１３の前記下面部３７の下の水平面３９に連なっており、該下面４５は該下の水平面３９よりも稍高く位置されている。
【００３０】
そして、該上面４２と該下面４５間の長さは、前記基板１３の上下方向（縦方向）の長さよりも稍小さく形成されている。又該連結突片１６，１６は、図６、図９〜１０に示すように、その対向する側面４７，４７に、上下方向に長い係合溝部４９ａとしての第１の係合部４９，４９が設けられており、該連結突片１６の先端部分は円弧状面５１として形成されている。
【００３１】
そして、該プランタパネル６が底板１２として用いられたときは、図６〜８に示すように、前記連結突片１６の先端部分の円弧状凹面５１が、前記支持片２０として機能し得る前記上下の水平突出片２１，２１、２１，２１の前記根元側の円弧状凹面２６に略当接した状態で該連結突片１６が該水平突出片２１（即ち支持片２０）で下方から支持される。  
【００３２】
又、図９〜１０、図１３に示すように、前記基板１３の両側面１８，１９には、上の水平突出片２１の下面の根元側の部分と下の水平突出片２１の上面の根元側の部分を連結するように縦補強リブ５２，５２が、左右対向状態で突設されている。該縦補強リブ５２は、本実施例においては、前記基板１３の両側面１８，１９を、該基板１３の延長方向（横方向）で見て等分割するように、４本が左右対向状態で突設されており、図１３に示すように、前記基板１３の横方向の端部５３とこれに隣り合う縦補強リブ５２との間の間隔、及び、隣り合う縦補強リブ５２，５２との間の間隔は、前記プランタパネル６を底板１２として用いた場合において、前記連結突片１６を納めることができる程度に設定されている。又、図９〜１０に示すように、前記基板１３の両側面１８，１９の上下部分には、該基板１３の延長方向（横方向）に延長する横補強リブ５５，５５が、前記縦補強リブ５２で途切れる状態で突設されている。該縦補強リブ５２と該横補強リブ５５は、図７〜８に示すように、前記上の水平突出片２１の先端縁５６、前記下の水平突出片２１の先端縁５７から突出することがない。本実施例においては、このように、プランタパネル６に縦補強リブ５２と横補強リブ５５が設けられているため、プランタパネル６を側板１０や底板１２として用いた場合の剛性を向上させ得る。
【００３３】
前記連結支柱７は、本実施例においては、例えばＡＢＳ樹脂製等の合成樹脂製のものであり、図１４、図１７に示すように、その外形が、四つの出隅が円弧状出隅面５９に形成された略正方形状を呈し、その上下長さは、前記プランタパネル６の縦方向長さに等しく設定されている。又、４つの面６０，６０，６０，６０の長手中央部分が内方に凹むことにより、前記連結突片１６を挿入させ得る挿入溝６１，６１，６１，６１が、連結支柱７の周方向で９０度の角度を置いて設けられ、各挿入溝６１は、上下方向に連続して設けられている。これにより、該挿入溝６１の両側に、正方形柱状を呈する柱状部６２，６２が設けられた構成を有している。
【００３４】
本実施例においては、該柱状部６２の中心軸線に沿って、横断面正方形状を呈する連通孔６３が貫設されている。そして該挿入溝６１の対向する溝側面６４，６４には、前記連結突片１６の両側面４７，４７に設けられた前記係合溝部４９ａ，４９ａとしての第１の係合部４９，４９と凹凸の嵌合状態で係合し得る係合突部６５ａとしての第２の係合部６５，６５が設けられている。又本実施例においては、該連結支柱７の軸線に沿って、例えば円形を呈する連結軸挿通孔６６が上下方向で貫設されている。そして、かかる構成を有する連結支柱７の前記連結軸挿入孔６６には、図１５に示すように、鋼製の連結軸（本実施例においては丸軸）６７を密接状態で挿通可能となされている。又、図１５〜１６で示すように、該連結支柱７の上端６９は、蓋部材７０で閉蓋可能となされている。
【００３５】
該蓋部材７０は図１４に示すように、正方形板状を呈する蓋片７１の下面７２に、前記連結軸挿通孔６６に挿入される円形軸部７３が突設されると共に、前記４つの挿入溝６１，６１，６１，６１に嵌まり合う嵌合突部７５，７５，７５，７５が突設されている。
【００３６】
かかる構成を有するプランタパネル６の主要部の寸法を例示すれば、図１２に示すように、前記基板１３の横方向の長さＬ１は約８１５ｍｍに設定されると共にその縦方向の長さＬ２は約１６５ｍｍに設定されている。又、前記連結突片１６の突出長さＬ３は約１５ｍｍに設定されると共に該連結突片１６を下方から支持する前記上下部の水平突出片２１，２２の前記支持面７６の幅寸法Ｌ４（図７）は約９ｍｍに設定されている。
【００３７】
図１〜８、図１１、図１３、図１６〜１７は、前記構成を有するプランタパネル６の９枚と連結支柱７の４本を用いてプランタを組み立てる工程の一例を示すものである。
【００３８】
図３、図１７は、該連結支柱７の、直角を呈して隣り合う２つの挿入溝６１，６１に、前記基板１３を垂直状態にして互いに直角に交わるように立設された２枚のプランタパネル６，６の両連結突片１６，１６を挿入してなる、側板１０としてのプランタパネル６，６相互の連結状態を示している。この挿入は、図４〜５に矢印で示すように、前記連結突片１６を前記挿入溝６１にその一端からその他端に向けてスライドさせて行なう。これにより、図１７に示すように、該連結突片１６の両側に設けられている係合溝部４９ａとしての第１の係合部４９と、該挿入溝６１の溝側面６４，６４に設けられている係合突部６５ａとしての第２の係合部６５とが係合状態となるため、連結突片１６が挿入溝６１から外れる恐れがない。従って、プランタの収容部７９（図１）に栽培土を収容した状態で側板１０が外方に向けて多少撓んでも、連結突片１６が挿入溝６１から外れる恐れがなく、強度的安定性に優れたプランタ７７（図１）を構成できることになる。図３は、このようにして連結支柱７を介して４枚のプランタパネル６，６，６，６を接合して構成された正方形状枠体２を示している。本実施例においては、前記基板１３の両側面１８，１９の上下端に、両側に張り出すように上下の水平突出片２１，２１、２１，２１が突設されているため、底面積が大となって側板１０の立設状態の安定性が向上される（図６〜８）。
【００３９】
このようにして正方形状枠体２を構成した後、図１に示すように、その内部空間３の正方形状の開放底部１７（図３）に、５枚のプランタパネル６，６，６，６，６を底板１２として用いて敷設する。その敷設の際、図１３、図２に示すように、プランタパネル６，６の側面部１１，１１相互を当接状態とし、各プランタパネル６の前記連結突片１６，１６の先側の部分８０，８０を、図６〜８に示すように、該正方形状枠体２の対向する側壁部９ａ，９ｂを構成する側板１０ａ，１０ａの前記下の水平突出片２１（即ち前記支持片２０）の上面（支持面）７６に載せる。この状態で、図６〜８に示すように、該連結突片１６の先端部分の円弧状面５１が前記下の水平突出片２１の前記根元側の円弧状面２６に略当接した状態で、該連結突片１６が該下の水平突出片２１で下方から支持される。又、連結突片１６の長さ方向の両端面（前記上面４２、前記下面４５）は、図１８に示すように、立設状態にある前記連結支柱７の前記柱状部６２の外面８２と、これに連なる円弧状出隅面５９に当接状態となり乃至該円弧状出隅面５９に沿った状態となる。
【００４０】
又、前記正方形状枠体２の内部空間３の開放底部１７（図３）の両端側に配置される底板１２としてのプランタパネル６は、図１９に示すように前記係合突部３２が下側に位置するときは、該係合突部３２の、その突出方向で見た先端面８５が、前記下の水平突出片（前記支持片２０）２１の先端縁８６に当接状態となり乃至近接状態となる。一方、図２０に示すように前記係合凹部３５が下側に位置するときは、該係合凹部３５の底面８７と該下の水平突出片２１の先端縁８６との間に、隙間８９が生ずることになるが、該係合凹部３５の上側を前記係合突部３２が覆った状態となるため、後述のように、有底プランタ７７の収容部７９に栽培土を収容した状態おいて、栽培土が前記隙間８９を通してこぼれにくい。
【００４１】
そして隣り合う底板１２，１２は、図１３に示すように、前記係合突部３３と前記係合凹部３５とが嵌合することによって、隣り合う底板１２，１２の側面部１１，１１相互が噛み合い状態に当接することから、底板１２の敷設によって形成された底面部５は、底板の長さ方向での位置ずれを防止できると共に、図２１〜２２に示すように、下に位置する係合突部３２の上面８７で、その上側に位置する係合突部３３が下方から支持される状態となるため、底面部５が、収容部７９に収容された栽培土の重量によって下方向に撓みにくくできる。
【００４２】
プランタパネル６を底板１２として用いる場合は、該底板１２の前記連結突片１６を下方から支持する支持片２０が形成されていなければならないが、本実施例においては、前記基板１３の両側面１８，１９の上下部に、支持片２０となり得る水平突出片２１，２１を突設しているため、前記正方形状枠体２の側壁部９を形成するに際して側板１０の上下の向きを考慮する必要がない。更に本実施例においては、基板１３の両側面１８，１９の上下端に、両側に張り出すように上下の水平突出片２１，２１、２１，２１を突設しているため、上下だけでなく内外の向きを考慮する必要もない。かかることから、前記正方形状枠体２の組み立て作業性を向上させ得る。
【００４３】
このようにして敷設された５枚のプランタパネル６，６，６，６，６によって、図１〜２に示すように、正方形状枠体２の底面部５が形成されることになる。これにより、図１に示すような、有底で上端が開放した栽培土の収容部７９が設けられたプランタ７７を組み立てることができる。本実施例においては、前記のように、プランタパネル６の基板１３に、その両側面１８，１９の上下部に、両側に張り出すように上下の水平突出片２１，２１、２１，２１が突設されているため、上下の水平板部２３，２５の何れを下にして側板１０を立設させるときも、該側板１０の立設状態の安定性が向上される。又、このように上下の水平突出片２１，２１、２１，２１が突設されており、且つ、縦補強リブ５２と横補強リブ５５が設けられているため、側板１０や底板１２の剛性向上を図り得る。更に、前記連結突片１６に設けられた前記第１の係合部（係合溝部）４９と、前記連結支柱７の挿入溝６１に設けられた第２の係合部（係合突部）６５とが凹凸の嵌合状態で係合しているため、収容部７９に栽培土８４を収容した状態で側板１０が多少撓んでも、連結突片１６が挿入溝６１から外れる恐れがない。かかることから、構造的に安定した有底プランタ７７を構成できることになる。
【００４４】
正方形状枠体２を構成した後、図１６に示すように、前記円形軸部７３を前記連結軸挿通孔６６に挿入させ、且つ、前記嵌合突部７５を前記挿入溝６１に嵌め入れることにより、前記連結支柱７の上端６９を前記蓋部材７０で閉蓋できる。これによって、該連結支柱７内への雨水等の水の流入を防止できる。又、連結支柱７の上端６９で怪我をするのを防止できる。
【００４５】
このようにして組み立てられた有底プランタ７７によるときは前記収容部７９（図１）を比較的広い面積に形成できるため、比較的広い栽培面積を確保できる。
【００４６】
図２３は、前記正方形状枠体２を２段積みすることによって収容部７９の深さをより深く設定したプランタ７７を示すものである。前記のようにプランタパネル６は上下の水平板部２３，２５に、係合突部３３と係合凹部３５が上下向き合う状態で設けられているため、図２４〜２５に示すように、１段目の側板１０ａの上の水平板部２３の左右に設けられている係合突部３３と係合凹部３５が、２段目の側板１０ｂの下の水平板部２５の左右に設けられている係合凹部３５と係合突部３３に嵌合状態で係合する。これによって、２段目の側板１０ｂが１段目の側板１０ａに対して側板の厚さ方向Ｆ１及び側板の延長方向（左右方向）Ｆ２で位置ずれする恐れがない。そして、２段目の正方形状枠体２ｂを構成する隣り合う側板１０，１０の直角に交わる連結突片１６，１６は、１段目の連結支柱７ａ上に立設された２段目の連結支柱７ｂの、直角に交わる挿入溝６１，６１に、図１７に示すと同様にして挿入される。これによって、隣り合う側板１０，１０相互が該連結支柱７で連結されることになる。
【００４７】
本実施例においては、上下の連結支柱７ａ，７ｂを一体化状態とするために、図１５に示すように、連通状態にある上下の連結軸挿通孔６６，６６に連結軸６７を、稍抵抗のある圧入状態で挿入して連結支柱７ａ，７ｂ相互が位置ずれするのを防止している。
【００４８】
該連結軸６７は、鉄製若しくは強度の高い樹脂製等の軸状に構成できるが、本実施例においては鉄製の丸軸であり、その長さは、本実施例においては、前記連結支柱７の長さよりも稍短く設定されている。該連結軸６７で上下の連結支柱７ａ，７ｂ相互を連結できるようにするために、本実施例においては図１４〜１５に示すように、夫々の連結支柱７の長さ方向の中央部位において、前記連結軸挿通孔６６の内部にストッパ片９０を設け、上下のストッパ片９０，９０間に前記連結軸６７を挿入したときに、該連結軸６７の両端部６７ａ，６７ａと該上下のストッパ片９０，９０との当接によって、該連結軸６７が上下方向の移動が規制されるようにしている。該ストッパ片９０を設ける構成の一例として、本実施例においては図１４〜１５に示すように、連結支柱７の中央部位で、前記連結軸挿通孔６６を横切るように連結支柱７の軸線と直交する方向に取付け孔９１を設け、該取付け孔９１に係止ピン９２を圧入状態に挿入している。然して、上下の連結軸挿通孔６６，６６に連結軸６７を挿入状態とすることにより、上下の連結支柱７ｂ，７ａを安定した一体化状態になし得ると共に、上下の連結支柱７ｂ，７ａがその繋ぎ部分８４で横ずれするのを防止できるのである。そして、２段目の連結支柱７ａの上端６９は、図１５に示すように、前記と同様にして蓋部材７０で閉蓋される。
【００４９】
正方形状枠体２を２段積みして構成された該プランタ７７によるときは、収容部７９が２倍の深さ（例えば３３ｃｍ程度の深さ）であるために、例えば根部が長い大根等の根菜類を栽培できる。
【００５０】
図２６は、前記組立式プランタ１を応用して構成された正方形のプランタ部７７ａ，７７ａを隣り合わせてなる、平面視で長方形状を呈する大型のプランタを示すものである。前記のように構成された、平面視で正方形状を呈するプランタ７７の対向する側壁部９ａ，９ａの一端９２，９２において、中間連結支柱７ａ，７ａを介して延長側板１０ａ，１０ａを一直線状に連結し、該連結された両延長側板１０ａ，１０ａの先端の連結突片１６，１６相互を連結支柱７，７を介して他の側板１０ｂで連結した構成を有している。図２６においては、大型のプランタ７７ａの強度向上のために、前記側壁部９ａ，９ａの前記一端相互を前記連結支柱７ａ，７ａを介して連結側板１０ｃで連結している。
【００５１】
図２７は、このように構成した場合の、側板１０，１０，１０がＴ字状に交わる部分における３枚の側板の連結突片１６，１６，１６を連結支柱７を介して連結した状態を示すものであり、該連結支柱７の３つの挿入溝６１，６１，６１に、連結突片１６，１６，１６が前記と同様にして挿入されている。そして、４枚の側板１０，１０，１０，１０によって形成された正方形状枠体２の開放底部１７に、前記と同様にして、５枚の底板１２，１２，１２，１２，１２を、夫々の底板１２の両端に設けられている連結突片１６，１６を、対向する下の水平支持片２１，２１に載せる。これにより、平面視で長方形状を呈する、面積が２倍のプランタ７７を構成できるのである。
【００５２】
図２８は、前記と同様の要領によって正方形状枠体２，２，２を３段積みしてなるプランタ７７を示すものである。この場合、１段目と２段目の連結支柱７，７相互、２段目と３段目の連結支柱７，７相互を、前記と同様の構成により連結軸６７で連結するのがよい。
【００５３】
図２９は、前記組立式プランタを応用して構成された、平面視で正方形状を呈する２段積みのプランタ部７７ａと、平面視で正方形状を呈する１段のプランタ部７７ａとを隣り合わせてなる段違いのプランタ７７を示すものである。
【００５４】
図３０〜３２は、前記組立式プランタ１を用いて構成されたプランタ７７の他の変形態様を示すものであり、庭やベランダ等の空きスペースの形態に応じて所要形態で構成される。これらによって、空きスペースの有効活用を図ることができる。
【００５５】
図３０は、平面視で正方形状を呈するプランタ部７７ａ，７７ａがＬ字状に組み合わされており、図３１においては，該プランタ部７７ａが田の字状に組み合わされている。又、図３２においては該プランタ部７７ａが、Ｚ字状に組み合わされている。
【００５６】
図３３は、図１に示すように構成されたプランタ７７の四隅の連結支柱７，７，７，７の下端の夫々に、接合部材９２を介して、長さが例えば５０ｃｍ程度の繋ぎ支柱９３を連結してなる、収容部７９の設置高さを高く設定した高設のプランタ７７を示すものである。該接合部材９２は図３３（Ｂ）に示すように、基板部９５の上下の面に連結突出部９９を設けてなり、該連結突出部９９を連結支柱７及び繋ぎ支柱９３に設けられている連結凹部１００に嵌入することにより、繋ぎ支柱９３を連結支柱７に接合している。かかる高設のプランタ７７によるときは、作業者の腰の高さ程度にまでプランタ７７を持ち上げた状態となし得るため、作業者は、膝や腰をそれ程曲げることなく作業を楽に行い得ることとなる。かかる高設のプランタ７７の平面視の形態は、例えば図３０〜３２で示したと同様の各態様で構成し得る。
【００５７】
プランタ７７をこのように高設で設置した場合、隣り合う底板１２，１２相互が、図２１に示すと同様にして、係合突部３３と係合凹部３５とが嵌まり合った状態となって、該係合突部３３が該係合凹部３５の底面８７で下方から支持された状態となるため、底板１２を敷設して構成された底面部５が、収容部７９に栽培土を収容した状態においても撓みにくい。
【００５８】
図３４は、プランタ７７が例えば１段で構成された場合において、前記連結支柱７として、前記のようにストッパ片９０が設けられたものを用いており、前記と同様の連結軸６７の上側部分１０１を前記連結支柱７の連結軸挿通孔６６の下側の部分１０２に挿入し該連結軸６７の上端６９を該ストッパ片９０に当接させ、該連結軸６７の下側部分１０３を地面１０５に突き刺した状態を示すものである。
【実施例２】
【００５９】
本発明は、前記実施例で示したものに限定されるものでは決してなく、「特許請求の範囲」の記載内で種々の設計変更が可能であることはいうまでもない。その一例を挙げれば次のようである。
【００６０】
(1) プランタパネル６の縦方向の長さは、前記正方形状枠体２の内部空間３の開放底部１７の一辺長さを、前記底面部５を形成するために相互を当接して敷設すべきプランタパネルの枚数で除した長さに略等しく設定されるのであるが、敷設すべきプランタパネルの枚数が少ないほど縦方向の長さは大きくなり、敷設枚数が多いほど縦方向の長さは短くなる。
該開放底部１７の一辺長さは、所要に、例えば８５ｃｍに設定されるものであり、例えば前記実施例において、底板１２を６枚敷設することによって底面部５を構成する場合は、基板１３の縦方向の長さは約１４ｃｍとなる。
【００６１】
(2) 前記プランタパネル６は、例えば側板１０として用いられた場合、前記基板１３の少なくとも一方の側面１８の下部に前記支持片２０が設けられればよいのであるが、前記のように、該側面１８の上下端に、支持片２０として機能し得る水平突出片２１，２１が設けられることもある。
前記実施例で示したように、基板１３の一側面１８の上下部に支持片２０として機能し得る水平突出片２１，２１を設ける場合は、プランタ７７を組み立てるに際して、該支持片２０が正方形状枠体２の内側向きになるように側板を設置する配慮が必要となるが、プランタ７７を組み立てることは可能である。
【００６２】
(3) 前記連結支柱７の横断面形状は、前記した正方形状を呈するものの他、図３５に示すような円形状を呈するもの等であってもよい。
又、連結支柱７に設ける挿入溝６１の本数は、直角に交わる２本であればよいのであるが、直角の角度をおいて３本や４本と本数を増やせば、例えば図３０〜３２等に示すような各種形態の有底プランタを構成する上で好都合である。
【００６３】
(4) 前記連結突片１６に設けられる前記第１の係合部４９は、例えば図３６に示すように突条４９ｂとして構成されることもある。このように突条４９ｂとして構成する場合は、図３７に示すように、前記挿入溝６１の溝側面６４，６４に、前記連結突片１６に設けられた突条４９ｂとしての第１の係合部４９と凹凸の嵌合状態で係合し得る条溝６５ｂとしての第２の係合部６５が設けられる。又、このように第１の係合部４９が突条４９ａとして構成される場合は、図３８に示すように、前記支持片２０の上面１０７に、該突条４９ｂと嵌まり合う係止条溝１０８を設けることもある。
該第１の係合部４９と該第２の係合部６５の構成は、要は、両者の凹凸の嵌合状態での係合によって連結突片１６が挿入溝６１から外れないものであればよいのであり、第１の係合部４９と第２の係合部６５との凹凸の嵌合状態は、前記溝側面６４の一方においてのみとされることもある。又図３９においては、連結突片１６を鳩尾状に形成すると共に、前記挿入溝６１を、これと嵌合し得る、入口１１０が幅狭の溝部として構成している。
【００６４】
(5) 前記プランタパネル６や前記連結支柱７は、合成樹脂製の他、アルミニウム製等の金属製とされることもある。
【００６５】
(6) 前記連結支柱７に、前記連結軸挿入孔６６が設けられないこともある。
【００６６】
(7) 前記実施例においては、プランタパネル６の上下の水平面部２３，２５に係合突部３３と係合凹部３５が設けられているが、これらが設けられないこともある。
【００６７】
(8) 正方形状枠体２を複数段に積重する場合、前記連結支柱７の長さは、その積重高さに合わせた長さに設定されることもある。
【符号の説明】
【００６８】
１  組立式プランタ
２  正方形状枠体
３  内部空間
５  底面部
６  プランタパネル
７  連結支柱
９  側壁部
１０  側板
１１  側面部
１２  底板
１３  基板
１６  連結突片
１７  開放底部
２０  支持片
２１  水平突出片
２３  上の水平板部
２５  下の水平板部
３０  上面部
３３  係合突部
３５  係合凹部
３７  下面部
４９  第１の係合部
６１  挿入溝
６５  第２の係合部
６６  連結軸挿入孔
６７  連結軸
７０  蓋部材
７７  プランタ
７７ａ  プランタ部
７９  栽培土の収容部
９０  ストッパ片
９２  接合部材
９３  繋ぎ支柱
【図１】
2011188769.tif 000003
【図２】
2011188769.tif 000004
【図３】
2011188769.tif 000005
【図４】
2011188769.tif 000006
【図５】
2011188769.tif 000007
【図６】
2011188769.tif 000008
【図７】
2011188769.tif 000009
【図８】
2011188769.tif 000010
【図９】
2011188769.tif 000011
【図１０】
2011188769.tif 000012
【図１１】
2011188769.tif 000013
【図１２】
2011188769.tif 000014
【図１３】
2011188769.tif 000015
【図１４】
2011188769.tif 000016
【図１５】
2011188769.tif 000017
【図１６】
2011188769.tif 000018
【図１７】
2011188769.tif 000019
【図１８】
2011188769.tif 000020
【図１９】
2011188769.tif 000021
【図２０】
2011188769.tif 000022
【図２１】
2011188769.tif 000023
【図２２】
2011188769.tif 000024
【図２３】
2011188769.tif 000025
【図２４】
2011188769.tif 000026
【図２５】
2011188769.tif 000027
【図２６】
2011188769.tif 000028
【図２７】
2011188769.tif 000029
【図２８】
2011188769.tif 000030
【図２９】
2011188769.tif 000031
【図３０】
2011188769.tif 000032
【図３１】
2011188769.tif 000033
【図３２】
2011188769.tif 000034
【図３３】
2011188769.tif 000035
【図３４】
2011188769.tif 000036
【図３５】
2011188769.tif 000037
【図３６】
2011188769.tif 000038
【図３７】
2011188769.tif 000039
【図３８】
2011188769.tif 000040
【図３９】
2011188769.tif 000041